(57)【要約】【課題】  ネットワーク上の印刷装置が備えるデータ格納手段の未使用領域を一元管理して、各データ格納手段上に確保される未使用領域を他の印刷装置のデータ格納手段で確保される他の未使用領域とでミラー化処理とセキュリティ化処理を可能とすることである。【解決手段】  サーバ２００４からの設定により、プリンタ２００５のハードディスク２０１１上にミラー領域またはセキュリティ領域を確保するとともに、プリンタ２００６のハードディスク２０１２上にミラー領域またはセキュリティ領域をネットワーク上のハードディスク２０１２上に設定し、該設定されたミラー領域またはセキュリティ領域に文書ファイルまたはセキュリティ文書ファイルを分割保存する構成を特徴とする。【選択図】  図１５
2006139455.tif 000002
【特許請求の範囲】
【請求項１】
ネットワークを介してデータ格納手段を備える印刷装置、ホスト装置と通信可能なサーバ装置であって、
前記印刷装置が備える各データ格納手段で確保可能な未使用領域を認識して、各データ格納手段に登録される情報を複製するミラー領域またはセキュリティ領域を設定する設定手段と、
前記設定手段により設定されたミラー領域またはセキュリティ領域を確保すべき前記印刷装置にミラー領域情報を通知する通知手段と、
を有することを特徴とするサーバ装置。
【請求項２】
文書ファイルをミラー化して格納するためのミラー領域関係を示すパートナ情報またはセキュリティ文書ファイルを分割して格納するためのセキュリティ領域関係を示すセキュリティ情報を記憶可能とすることを特徴とする請求項１記載のサーバ装置。
【請求項３】
前記設定手段は、各データ格納手段に対して１対１のミラー領域関係、１対ｎのミラー領域関係、１対１のセキュリティ領域関係、１対ｎのセキュリティ領域関係を設定可能とすることを特徴とする請求項１記載のサーバ装置。
【請求項４】
ネットワークを介してデータ格納手段を備えるホスト装置、サーバ装置、他の印刷装置と通信可能な印刷装置であって、
前記サーバ装置から通知されるセキュリティ領域情報に基づいて、データ格納手段に確保される前記セキュリティ領域を確保するセキュリティ領域設定手段と、
セキュリティ文書情報を前記ホスト装置から取得する取得手段と、
前記取得手段により取得する前記セキュリティ文書情報を分割する分割手段と、
前記分割手段により分割される分割文書情報の一方を保存するセキュリティ文書保存手段と、
前記分割手段により分割される他方の分割文書情報を前記サーバ装置により設定されるセキュリティ領域関係に基づいて、セキュリティパートナとして設定されるいずれかの他の印刷装置に転送する転送手段と、
前記ホスト装置からのセキュリティ文書印刷要求に基づき、前記サーバ装置により設定されるセキュリティ領域関係に基づいて、セキュリティパートナとして設定されるいずれかの他の印刷装置から分割された分割文書情報を取得する取得手段と、
前記取得手段により取得される他方の分割文書情報と前記セキュリティ文書保存手段に保存されている一方の分割文書情報とを結合してセキュリティ文書を再構築するデータ生成手段と、
前記データ生成手段により再構築されるセキュリティ文書を印刷する印刷手段と、
を有することを特徴とする印刷装置。
【請求項５】
前記サーバ装置から通知されるミラー領域情報に基づいて、データ格納手段に確保される前記ミラー領域を確保するミラー領域設定手段と、
セキュリティ文書を印刷する場合に、前記セキュリティパートナとして設定されるいずれかの他の印刷装置からの応答状態を判断する判断手段を有し、
前記取得手段は、前記判断手段により応答があると判断した場合は、セキュリティパートナとして設定されるいずれかの他の印刷装置から分割文書情報を取得し、前記判断手段により応答がないと判断した場合は、前記ミラー領域設定手段によりミラーパートナとして設定されるいずれかの他の印刷装置から分割文書情報に対応する文書情報を取得することを特徴とする請求項４記載の印刷装置。
【請求項６】
ネットワークを介してデータ格納手段を備えるホスト装置、サーバ装置、他の印刷装置と通信可能な印刷装置における印刷制御方法であって、
前記サーバ装置から通知されるセキュリティ領域情報に基づいて、データ格納手段に確保される前記セキュリティ領域を確保するセキュリティ領域設定ステップと、
セキュリティ文書情報を前記ホスト装置から取得する取得ステップと、
前記取得ステップにより取得する前記セキュリティ文書情報を分割する分割ステップと、
前記分割ステップにより分割される分割文書情報を一方をセキュリティ文書保存手段に保存するセキュリティ文書保存ステップと、
前記分割ステップにより分割される他方の分割文書情報を前記サーバ装置により設定されるセキュリティ領域関係に基づいて、セキュリティパートナとして設定されるいずれかの他の印刷装置に転送する転送ステップと、
前記ホスト装置からのセキュリティ文書印刷要求に基づき、前記サーバ装置により設定されるセキュリティ領域関係に基づいて、セキュリティパートナとして設定されるいずれかの他の印刷装置から分割された分割文書情報を取得する取得ステップと、
前記取得ステップにより取得される他方の分割文書情報と前記セキュリティ文書保存手段に保存されている一方の分割文書情報とを結合してセキュリティ文書を再構築するデータ生成ステップと、
前記データ生成ステップにより再構築されるセキュリティ文書を印刷する印刷ステップと、
を有することを特徴とする印刷制御方法。
【請求項７】
前記サーバ装置から通知されるミラー領域情報に基づいて、データ格納手段に確保される前記ミラー領域を確保するミラー領域設定ステップと、
セキュリティ文書を印刷する場合に、前記セキュリティパートナとして設定されるいずれかの他の印刷装置からの応答状態を判断する判断ステップを有し、
前記取得ステップは、前記判断ステップにより応答があると判断した場合は、セキュリティパートナとして設定されるいずれかの他の印刷装置から分割文書情報を取得し、前記判断手段により応答がないと判断した場合は、前記ミラー領域設定ステップによりミラーパートナとして設定されるいずれかの他の印刷装置から分割文書情報に対応する文書情報を取得することを特徴とする請求項６記載の印刷制御方法。
【請求項８】
請求項６または７記載の印刷制御方法を実行させるためのプログラムを格納したことを特徴とするコンピュータが読み取り可能な記憶媒体。
【請求項９】
請求項６または７記載の印刷制御方法を実行させることを特徴とするプログラム。
【発明の詳細な説明】
【技術分野】
【０００１】
本発明は、ネットワークを介してデータ格納手段を備える印刷装置、ホスト装置と通信可能なサーバ装置および印刷装置および印刷制御方法およびコンピュータが読み取り可能なプログラムを格納した記憶媒体およびプログラムに関するものである。
【背景技術】
【０００２】
ネットワーク化の普及により、ストレージ装置（代表としてハードディスク装置）を搭載するプリンタで構成されるネットワーク・プリンティングシステムが実用化されている。
【０００３】
そして、上記ハードディスク装置（大容量化及び低価格化による）の普及によりデータの分散、重複やストレージ資源の無駄等の弊害が顕著になっており、社会的にもストレージの管理を最適化して無駄を省き効率的に資源を活用することによるＴＣＯ削減、データの安全管理（秘匿性やハードディスク装置の破壊に対する安全性の保障など）に対するニーズは大きい。
【０００４】
例えばネットワークに接続されたプリンタにハードディスク装置を搭載して、そのハードディスク装置内にユーザ別フォルダを作成してファイルの保存及び管理するＢＯＸ機能を搭載しているものがある。
【０００５】
しかしながら、ユーザの重要なファイルをプリンタ上のハードディスク装置内に保存しておくことにデータの安全管理という観点から抵抗を感じるユーザは多い。
【０００６】
従って、前記安全管理と言う面で現行プリンタのＢＯＸ機能は今ひとつ有効に機能しておらず、またユーザの使用頻度及び信頼性も低い。
【０００７】
データ保全性を向上させる提案として、下記特許文献１には、１台のプリンタに複数個（３台以上）のハードディスク装置を搭載して複製をとる方法がある。
【特許文献１】特開平１１−３４７７５１号公報
【発明の開示】
【発明が解決しようとする課題】
【０００８】
しかしながら、上記構成では、データ保全性を向上させる提案として、１台のプリンタに複数個（３台以上）のハードディスク装置を搭載して複製をとる必要が生じ、システム全体としてコストパフォーマンスが悪くなる欠点がある。
【０００９】
本発明は、上記の問題点を解決するためになされたもので、本発明の第１の目的は、印刷装置が備える各データ格納手段で確保可能な未使用領域を認識して、各データ格納手段に登録される情報を複製するミラー領域またはセキュリティ文書を分割して保存するためのセキュリティ領域を設定し、該設定されたミラー領域またはセキュリティ領域を確保すべき前記印刷装置にミラー領域情報またはセキュリティ領域を通知することにより、ネットワーク上の印刷装置が備えるデータ格納手段の未使用領域を一元管理して、各データ格納手段上に確保される未使用領域を他の印刷装置のデータ格納手段で確保される他の未使用領域とでミラー化処理またはセキュリティ化処理を可能として、それぞれの印刷装置のデータ格納手段の未使用領域を有効活用し、かつ、サーバ装置に障害が発生しても、複数の印刷装置のデータ格納手段により構成されるミラー環境を再構築して、印刷装置のデータ格納手段に登録したデータを確実に復旧できるとともに、セキュリティ文書を秘匿性よく分散管理できるサーバ装置を提供することである。
【００１０】
第２の目的は、ネットワークを介してデータ格納手段を備えるホスト装置、サーバ装置、他の印刷装置と通信可能な印刷装置であって、サーバ装置から通知されるセキュリティ領域情報に基づいて、データ格納手段に確保される前記セキュリティ領域を確保し、ホスト装置から取得するセキュリティ文書情報を分割し、該分割される分割文書情報を確保されるセキュリティ領域に一方を保存し、分割される他方の分割文書情報を前記サーバ装置により設定されるセキュリティ領域関係に基づいて、セキュリティパートナとして設定されるいずれかの他の印刷装置に転送しておき、ホスト装置からのセキュリティ文書印刷要求に基づき、前記サーバ装置により設定されるセキュリティ領域関係に基づいて、セキュリティパートナとして設定されるいずれかの他の印刷装置から分割された分割文書情報を取得し、該取得される他方の分割文書情報と前記セキュリティ文書保存手段に保存されている一方の分割文書情報とを結合してセキュリティ文書を再構築して印刷することにより、プリンタに搭載されるストレージ装置の記憶領域管理を最適化してリソースを効率的に活用しつつ、さらに機密ファイルを分散保存することによってセキュリティを向上する印刷制御を実現できる印刷装置および印刷制御方法およびコンピュータが読み取り可能なプログラムを格納した記憶媒体およびプログラムを提供することである。
【課題を解決するための手段】
【００１１】
上記目的を達成する本発明のサーバ装置は以下に示す構成を備える。
【００１２】
ネットワークを介してデータ格納手段を備える印刷装置、ホスト装置と通信可能なサーバ装置であって、前記印刷装置が備える各データ格納手段で確保可能な未使用領域を認識して、各データ格納手段に登録される情報を複製するミラー領域またはセキュリティ領域を設定する設定手段と、前記設定手段により設定されたミラー領域またはセキュリティ領域を確保すべき前記印刷装置にミラー領域情報を通知する通知手段とを有することを特徴とする。
【００１３】
上記目的を達成する本発明の印刷装置は以下に示す構成を備える。
【００１４】
ネットワークを介してデータ格納手段を備えるホスト装置、サーバ装置、他の印刷装置と通信可能な印刷装置であって、前記サーバ装置から通知されるセキュリティ領域情報に基づいて、データ格納手段に確保される前記セキュリティ領域を確保するセキュリティ領域設定手段と、セキュリティ文書情報を前記ホスト装置から取得する取得手段と、前記取得手段により取得する前記セキュリティ文書情報を分割する分割手段と、前記分割手段により分割される分割文書情報の一方を保存するセキュリティ文書保存手段と、前記分割手段により分割される他方の分割文書情報を前記サーバ装置により設定されるセキュリティ領域関係に基づいて、セキュリティパートナとして設定されるいずれかの他の印刷装置に転送する転送手段と、前記ホスト装置からのセキュリティ文書印刷要求に基づき、前記サーバ装置により設定されるセキュリティ領域関係に基づいて、セキュリティパートナとして設定されるいずれかの他の印刷装置から分割された分割文書情報を取得する取得手段と、前記取得手段により取得される他方の分割文書情報と前記セキュリティ文書保存手段に保存されている一方の分割文書情報とを結合してセキュリティ文書を再構築するデータ生成手段と、前記データ生成手段により再構築されるセキュリティ文書を印刷する印刷手段とを有することを特徴とする。
【００１５】
上記目的を達成する本発明の印刷制御方法は以下に示す構成を備える。
【００１６】
ネットワークを介してデータ格納手段を備えるホスト装置、サーバ装置、他の印刷装置と通信可能な印刷装置における印刷制御方法であって、前記サーバ装置から通知されるセキュリティ領域情報に基づいて、データ格納手段に確保される前記セキュリティ領域を確保するセキュリティ領域設定ステップと、セキュリティ文書情報を前記ホスト装置から取得する取得ステップと、前記取得ステップにより取得する前記セキュリティ文書情報を分割する分割ステップと、前記分割ステップにより分割される分割文書情報の一方をセキュリティ文書保存手段に保存するセキュリティ文書保存ステップと、前記分割ステップにより分割される他方の分割文書情報を前記サーバ装置により設定されるセキュリティ領域関係に基づいて、セキュリティパートナとして設定されるいずれかの他の印刷装置に転送する転送ステップと、前記ホスト装置からのセキュリティ文書印刷要求に基づき、前記サーバ装置により設定されるセキュリティ領域関係に基づいて、セキュリティパートナとして設定されるいずれかの他の印刷装置から分割された分割文書情報を取得する取得ステップと、前記取得ステップにより取得される他方の分割文書情報と前記セキュリティ文書保存手段に保存されている一方の分割文書情報とを結合してセキュリティ文書を再構築するデータ生成ステップと、前記データ生成ステップにより再構築されるセキュリティ文書を印刷する印刷ステップとを有することを特徴とする。
【発明の効果】
【００１７】
本発明に係るサーバ装置によれば、ネットワーク上の印刷装置が備えるデータ格納手段の未使用領域を一元管理して、各データ格納手段上に確保される未使用領域を他の印刷装置のデータ格納手段で確保される他の未使用領域とでミラー化処理またはセキュリティ化処理を可能として、それぞれの印刷装置のデータ格納手段の未使用領域を有効活用し、かつ、サーバ装置に障害が発生しても、複数の印刷装置のデータ格納手段により構成されるミラー環境を再構築して、印刷装置のデータ格納手段に登録したデータを確実に復旧できるとともに、セキュリティ文書を秘匿性よく分散管理できる。
【００１８】
本発明に係る印刷装置によれば、プリンタに搭載されるストレージ装置の記憶領域管理を最適化してリソースを効率的に活用しつつ、さらに機密ファイルを分散保存することによってセキュリティを向上する印刷制御を実現できる等の効果を奏する。
【発明を実施するための最良の形態】
【００１９】
次に本発明を実施するための最良の形態について図面を参照して説明する。
【００２０】
＜システム構成の説明＞
〔第１実施形態〕
図１は、本発明の第１実施形態を示すサーバ装置、印刷装置を適用可能な印刷システムの構成を示すブロック図であり、本システムは、ホストコンピュータ３００とプリンタ３０１とが通信可能に接続される構成となっている。なお、後述するサーバ装置３００Ａも、ホストコンピュータ３００と同等のハードウエア資源を備えるとともに、後述する印刷システムを構成するプリンタのハードディスクに対する各種のミラーリング処理を実行するモジュールが外部メモリ１１に記憶されている。また、ミラーリング機能を実行させるためのドライバモジュールがホストコンピュータ３００の外部メモリ１１に記憶され、それぞれのモジュールがネットワークを介して通信処理することで、印刷システム上に存在する未使用のデータ格納手段を利用してデータ保護機能処理を実行させる。
【００２１】
図１において、ホストコンピュータ３００は、ＣＰＵ１を備えている。ＣＰＵ１は、ＲＯＭ３のプログラム用ＲＯＭあるいは外部メモリ１１に記憶された文書処理プログラム等に基づいて、図形や、イメージ、文字、表（表計算等を含む）等が混在した文書処理を実行し、システムバス４に接続される各デバイスをＣＰＵ１が総括的に制御する。
【００２２】
また、このＲＯＭ３のプログラム用ＲＯＭあるいは外部メモリ１１には、ＣＰＵ１の制御プログラムであるオペレーティングシステムプログラム（以下ＯＳ）等が記憶され、ＲＯＭ３のフォント用ＲＯＭあるいは外部メモリ１１には、上記文書処理の際に使用するフォントデータ等が記憶され、ＲＯＭ３のデータ用ＲＯＭあるいは外部メモリ１１には、上記文書処理等を行う際に使用する各種データが記憶されている。
【００２３】
２はＲＡＭで、ＣＰＵ１の主メモリやワークエリア等として機能する。５はキーボードコントローラ（ＫＢＣ）で、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、及びプリンタ制御コマンド生成プログラム（以下、プリンタドライバと記す）等を記憶する外部メモリ１１とのアクセスを制御する。外部メモリ１１は、ハードディスク（ＨＤ）やフレキシブルディスク（ＦＤ）等で構成される。
【００２４】
８はプリンタコントローラ（ＰＲＴＣ）で、所定のネットワーク２１を介してプリンタ３０１に接続されて、プリンタ３０１との通信制御処理を実行する。なお、ＣＰＵ１は、例えばＲＡＭ２上に設定された表示情報のアウトラインフォントへの展開（ラスタライズ）処理を実行し、ＣＲＴ１０上でのＷＹＳＩＷＹＧを可能としている。また、ＣＰＵ１は、ＣＲＴ１０上に表示されるマウスカーソル等で指示されたコマンドに基づいて、登録された種々のウィンドウを開き、種々のデータ処理を実行する。これによって、ユーザは、印刷を実行する際、印刷の設定に関するウィンドウを開き、プリンタ３０１の設定や、印刷モードの選択を含むプリンタドライバに対する印刷処理方法の設定を行うことができる。
【００２５】
一方、プリンタ３０１は、プリンタＣＰＵ１２を備えている。プリンタＣＰＵ１２は、ＲＯＭ１３のプログラム用ＲＯＭに記憶された制御プログラム等あるいは外部メモリ１４に記憶された制御プログラム等に基づいて、システムバス１５に接続される印刷部（プリンタエンジン）１７に出力情報としての画像信号を出力する。また、このＲＯＭ１３のプログラム用ＲＯＭには、ＣＰＵ１２の制御プログラム等が記憶されている。ＲＯＭ１３のフォント用ＲＯＭには、上記出力情報を生成する際に使用するフォントデータ等が記憶され、ＲＯＭ１３のデータ用ＲＯＭには、ハードディスク等の外部メモリ１４を用いないプリンタ３０１の場合ではホストコンピュータ３００上で利用される情報等が記憶されている。
【００２６】
ＣＰＵ１２は、入力部１８を介してホストコンピュータ３００との通信処理が可能となっており、プリンタ３０１内の情報等をホストコンピュータ３００に通知可能に構成されている。１９は前記ＣＰＵ１２の主メモリやワークエリア等として機能するＲＡＭで、図示しない増設ポートに接続されるオプションＲＡＭによりメモリ容量を拡張することができるように構成されている。
【００２７】
なお、ＲＡＭ１９は、出力情報展開領域や、環境データ格納領域、ＮＶＲＡＭ等に用いられる。前述したハードディスク（ＨＤ）や、ＩＣカード等の外部メモリ１４は、ディスクコントローラ（ＤＫＣ）２０によりアクセスを制御される。外部メモリ１４は、オプションとして接続され、フォントデータや、エミュレーションプログラム、フォームデータ等を記憶する。さらに、１５１は前述した操作パネルで、操作のためのスイッチ及びＬＥＤ表示器等が配されている。
【００２８】
また、前述した外部メモリ１４は、少なくとも１個以上備えられ、内蔵フォントに加えてオプションフォントカード、言語系の異なるプリンタ制御言語を解釈するプログラムを格納した外部メモリを複数接続できるように構成されていても良い。さらに、図示しない不揮発性であるＮＶＲＡＭを有し、操作パネル１５１からのプリンタモード設定情報を記憶するようにしても良い。
【００２９】
図２は、図１に示したプリンタ部３０１を含む複合機の構成を示す断面図であり、特にプリンタ部３０１とフィニッシャが装着されたリーダ３５０とが接続されたデジタル複写機の例に対応する。
【００３０】
図において、２０１は原稿給送装置で、原稿を先頭順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、ミラー２０５、２０６、２０７、及びレンズ２０８によってＣＣＤイメージセンサ（以下ＣＣＤという）２０９へ導かれる。このように、走査された原稿の画像はＣＣＤ２０９によって読み取られる。
【００３１】
２２１はレーザドライバで、レーザ発光部２１０を駆動するものであり、出力画像データに応じたレーザ光をレーザ発光部２１０に発光させる。このレーザ光は感光ドラム２１１に照射され、感光ドラム２１１にはレーザ光に応じた潜像が形成される。
【００３２】
この感光ドラム２１１の潜像の部分には現像器２１２によって現像剤が付着される。カラー機の場合は、イエロー（Ｙ），マゼンタ（Ｍ），シアン（Ｃ），ブラック（Ｋ）の４色分現像器が装着される。そして、レーザ光の照射開始と同期したタイミングで、カセット２１３及びカセット２１４、手差し給紙段２２７のいずれかから記録紙を給紙して転写部２１５へ搬送し、感光ドラム２１１に付着された現像剤を記録紙に転写する。現像剤の乗った記録紙は定着部２１６に搬送され、定着部２１６の熱と圧力により現像剤は記録紙に定着される。
【００３３】
定着部２１６を通過した記録紙は排出ローラ２１７によって排出され、また、両面記録が設定されている場合は、排出ローラ２１７のところまで記録紙を搬送した後、排出ローラ２１７の回転方向を逆転させ、フラッパ２１８によって再給紙搬送路２１９へ導く。再給紙搬送路２１９へ導かれた記録紙は上述したタイミングで転写部２１５へ給紙される。
【００３４】
また、Ｚ折りユニット２２６が本体に装備されている場合には、Ｚ折りユニットへ記録紙が搬送され、操作パネル１５１からの操作に応じてＺ折りが行われる。
【００３５】
さらに、フィニッシャ２２０が装備されている場合、排出された記録紙を束ねて記録紙の仕分けをしたり、ユーザからの指定に応じてパンチャ２２３で記録紙のパンチが、ステイプラ２２４でステイプルがそれぞれ行われる。
【００３６】
また、サドルステッチャ２２５を使用すると、記録紙の中央部をステッチし、その中央部を折ることにより記録紙が製本される。インサータ２２２では、予め印刷された記録紙を、表紙や合紙として給紙することが可能となり、プリンタ３０１の記録紙経路を通すことがないため用紙を傷めず搬送することができる。サドルステッチャ２２５を使用しないジョブは、排紙口２３１を通り、可動トレイ２２８、２２９のどちらかに排出される。可動トレイ２２８と２２９は両方共上下に動作することができ、可動トレイ２２８に出力する場合には可動トレイ２２８が排紙口２３１の位置まで降りる。サドルステッチャ２２５を使用するジョブは、排紙口２３２を通り、製本トレイ２３０に排出される。
【００３７】
図３は、図１に示した操作パネル１５１のキー配列を示す平面図である。
【００３８】
図において、３５０は電源スイッチであり、プリンタ３０１とリーダ３５０への通電を制御する。３０２は予熱キーであり、予熱モードのＯＮ／ＯＦＦに使用する。３０３はコピーＡモードキーであり、複数の機能の中からコピーＡモードを選択するときに使用する。３０４はコピーＢモードキーであり、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。
【００３９】
３０５はメールボックスキーであり、複数の機能の中からメールボックスモードを選択するときに使用する。メールボックス機能とは、ユーザ個人や部署毎に複写機内のメモリに記憶領域を持ち、そこにＰＤＬやスキャン画像を入れておき、好きなときに出力する機能である。３０６は拡張キーであり、ＰＤＬに対する操作を行うときに使用する。３０３〜３０６は後述するＬＣＤ３１６の各々の機能画面を呼び出すときにも使用され、ＬＣＤ３１６の表示により各々のジョブの状況を見ることができる。
【００４０】
３０７はコピースタートキーであり、コピーの開始を指示するときに用いるキーである。３０８はストップキーであり、コピーを中断したり、中止したりするときに用いるキーである。３０９はリセットキーで、スタンバイ中は標準モードに復帰させるキーとして動作する。３１０はガイドキーであり、各機能を知りたいときに使用するキーである。
【００４１】
３１１はユーザモードキーであり、ユーザがシステムの基本設定を変更するときに使用する。３１２は割り込みキーであり、コピー中に割り込みしてコピーしたいときに用いる。３１３はテンキーであり、数値の入力を行うときに使用する。３１４はクリアキーであり、数値をクリアするときに用いる。３１５はＩＤキーであり、複写機を使用する場合にＩＤの入力モードに移行するときに使用する。
【００４２】
３１６は、液晶画面とタッチセンサの組合せからなるＬＣＤタッチパネル（ＬＣＤ）であり、各モード毎に個別の設定画面が表示され、さらに、描画されたキーに触れることで、各種の詳細な設定を行うことが可能である。また、各々のジョブの動作状況表示なども行う。３１７は、ネットワークの通信状態を示すタリーランプであり、通常は緑色で、通信しているときは緑色で点滅し、ネットワークエラーの場合には赤色になる。
【００４３】
図４は、図３に示したＬＣＤ３１６のコピー標準画面を示した模式図であり、本実施形態の画像処理装置では、電源投入時にデフォルトとしてコピー標準画面で起動するようになっている。
【００４４】
図において、４０１はメッセージラインであり、コピージョブの状態をメッセージで表示する。４０２は倍率表示であり、設定された倍率やコピーモードによって自動的に決められる倍率をパーセントで表示する。４０３は用紙サイズ表示であり、選択された出力用紙を表示し、自動用紙選択が設定されている場合にはオート用紙というメッセージを表示する。
【００４５】
４０４は置数表示であり、何枚コピーするかを示す。４０５は縮小キーであり、縮小コピーを行いたい場合に使用する。４０６は等倍キーであり、縮小や拡大が設定されている場合に等倍に戻したいときに使用する。４０７は拡大キーであり、拡大コピーを行いたい場合に使用する。４０８はズームキーであり、細かい単位で倍率を設定して縮小コピーや拡大コピーを行いたい場合に使用する。
【００４６】
４０９は用紙選択キーであり、出力用紙を指定する場合に使用する。４１０はソータキーであり、ソートやステイプルのモードを設定する場合に使用する。４１１は両面キーであり、両面モードを設定する場合に使用する。
【００４７】
４１２は濃度表示で、現在の濃度が分かるようになっており、左側が濃度が薄く、右側が濃度が濃いことを示す。また、濃度表示４１２は、うすくキー４１３、こくキー４１５と連動して表示が変化するようになっている。うすくキー４１３は、濃度を薄くしたい場合に使用する。こくキー４１５は、濃度を濃くしたい場合に使用する。４１４は自動キーであり、自動的に濃度を決定するモードを使用する場合に使用する。
【００４８】
４１６は文字キーであり、文字原稿をコピーするのに適した濃度に自動的に設定する文字モードを設定する場合に使用する。４１７は文字／写真キーであり、写真が混在した原稿をコピーするのに適した濃度に自動的に設定する文字／写真モードを設定する場合に使用する。４１８は応用モードキーであり、コピー標準画面で設定できない様々なコピーモードを設定する場合に使用する。
【００４９】
４１９はプリント状況キーであり、現在このデジタル複写機本体１０１で行われているプリントの状況を見たい場合に使用する。このプリント状況キー４１９は、コピー標準画面だけではなく、常にこの位置に現れており、いつでもこのキーを押すことによりプリント状況を見ることができるようになっている。
【００５０】
４２０は出力先設定キーであり、スキャンした画像をどこに出力するかを選択する場合に使用する。この出力先設定キー４２０を押下すると、後述する図１１に示す出力先選択画面に遷移する。なお、出力先としては、自機のプリンタエンジン（図１に示したプリンタ３０１）、後述する図５に示す自機のボックス、同じネットワークに接続されている他機のプリンタエンジン、他機のボックスが設定できる。プリンタエンジンとボックスは同時に設定することができ、例えば自機のプリンタエンジンと他機のボックスに送る場合には４２１のような表示となる。ローカルは自機のことで、リモート１というのは他機の名前である。
【００５１】
図５は、図１に示した外部メモリ１４の論理的な使用方法を示した模式図である。
【００５２】
図に示すように、本実施形態において、画像メモリ１０７は、使用用途に応じてハードディスク等の画像メモリの記憶領域をテンポラリ領域５０１とボックス領域５０２に論理的に分けられる。
【００５３】
テンポラリ領域５０１は、画像データの出力順序を変えたり、複数部出力においても一回のスキャンで出力ができるようにするために、ＰＤＬの展開データやスキャナからの画像データを一時的に記憶する記憶領域である。ボックス領域５０２はボックス機能を使用するための記憶領域であり、５０３〜５０７のように登録された数の小さな記憶領域（ボックス領域１，２，３，４，・・・）に分割されている。ボックス領域（以下ボックス）５０３〜５０７は、各ユーザや会社などの部署毎に割り当てられ、各ボックスにはボックス名とパスワードを付けることができる。ユーザはボックスを指定することでＰＤＬジョブやスキャンジョブを各ボックスに入力することができ、パスワードを入力することで実際にボックスの中を見たり、設定変更やプリント出力を行う。
【００５４】
図６は、本発明の第１実施形態を示すサーバ装置、ホスト装置、画像処理装置を適用可能な印刷システムの構成を説明するブロック図である。
【００５５】
図６において、ＣＰＵ（中央処理演算器）１５０は各種演算処理を行う。Ｎｅｔｗｏｒｋ−ＩＦ部１０２は、外部ネットワーク１５１とのインターフェイスを行うブロックである。一般的にはＴＣＰ／ＩＰのプロトコルに対応する。ホスト１０４及びプリンタ１０５に代表される複数の機器が、外部ネットワーク１５１に接続されている。
【００５６】
ＲＯＭ（リード・オンリ・メモリ）１０６は不揮発性メモリである。各種プログラムやフォント等の変更しないデータを格納する。ＲＡＭ（ランダム・アクセス・メモリ）１０７はＤＲＡＭに代表される揮発性メモリである。プログラムの作業領域や描画データの格納領域等の書き換えが必要な用途に用いられる。
【００５７】
本実施形態では、ストレージ・デバイスの代表格としてＨＤＤ（ハードディスク）装置１０８を備え、ネットワークやスキャナからの印刷データをユーザ別にフォルダに格納するＢＯＸ機能としての用途や印字データとオーバレイして印刷するための定型フォーマットデータ等が格納される。
【００５８】
パネル−ＩＦ部１０９は、ＬＣＤ表示装置及びボタン等を制御するブロックでプリンタの各種設定やＨＤＤ内部のＢＯＸを表示したりする。Ｓｃａｎｎｅｒ−ＩＦ部１１０は、スキャナ装置との通信制御を行う。
【００５９】
プリンタ装置に対してＳｃａｎｎｅｒ−ＩＦ部１１０を介してスキャナ装置を接続することによってコピー機能を実現することが可能となる。
【００６０】
画像処理部１１１は、ネットワーク１０３やスキャナ装置を介して取り込んだ印字データに対してディザ処理やエッジ処理等の描画処理及び圧縮・伸長処理を行い、最終的に印刷する描画データをＲＡＭ１０７上に生成する。
【００６１】
メモリ制御部１１２は、ＲＯＭ１０６、ＲＡＭ１０７へのアクセス制御を行う。ＣＰＵのメモリアクセスやＣＰＵを介さずに直接メモリにアクセスするＤＭＡ（ダイレクト・メモリ・アクセス）の制御やＣＰＵ、その他の機能ブロックが同時にアクセスした場合のバス調停機能を有している。
【００６２】
ビデオ制御部１１３は、プリンタエンジンとのコマンド・ステータスのやり取りやメモリ上に生成された描画データの転送を行う。
【００６３】
印字部１１４は、主にビデオ制御部１１３からのコマンド情報に従い、描画データをプリント用紙に印刷して出力する。その他、ビデオ制御部１１３を介してプリンタエンジンの状態変化をコントローラ側に通知を行う。バス１１５は、制御バス及びデータバスと任意ブロック間のローカルなバス及び信号線等をまとめて表現したものである。
【００６４】
図７は、図６に示した印刷システムの構成例を示すブロック図であり、（ａ）は第１のネットワーク構成例で、１つのネットワークに複数のホスト（Ｈｏｓｔ２００２〜２００４その他）と複数のプリンタ（Ｐｒｉｎｔｅｒ２００６〜２００９）及びプリントサーバ（ｓｅｒｖｅｒ２００５）が接続されている例である。
【００６５】
プリンタには、ＳＦＰ（Ｓｉｎｇｌｅ・Ｆｕｎｃｔｉｏｎ・Ｐｒｉｎｔｅｒ）及びＭＦＰ（Ｍｕｌｔｉ・Ｆｕｎｃｔｉｏｎ・Ｐｒｉｎｔｅｒ）が混在していてもよい。
【００６６】
図７の（ｂ）に示す第２のネットワーク構成例では、低速（例えば１００Ｂａｓｅ）なネットワーク２０１０に接続されているプリントサーバ２０１３に高速（例えば１０００Ｂａｓｅ）のローカルネットワーク２１９が構築されている例である。
【００６７】
本実施形態では、Ｐｒｉｎｔｅｒ２０１４〜２０１７やＨｏｓｔ２０１８などが接続されている。
【００６８】
以上説明したように本発明を適用するネットワーク構成としてプリントサーバを接続してストレージを管理するストレージ管理サーバシステム構成でもよいし、ここでは説明しないがその他の構成としてプリントサーバをたてずに各プリンタ及びホストが互いに通信する対話型システムに本発明を適用してもよい。
【００６９】
以後の説明では、図７の（ａ）に示す第１のネットワーク構成例について詳しく説明を行う。
【００７０】
図８は、図７の（ａ）に示した第１のネットワーク構成に対するストレージ管理サーバシステム（本システムをＳＳＳと呼ぶ）例を示す図である。なお、サーバ装置およびプリンタ列並びにホスト装置には、図１に示したようなＣＰＵ，ＲＡＭ，ＲＯＭを含むコントローラ部と、外部メモリを備えており、これらからＳＳＳが構築されているものとする。以下、図１０〜図１５においても同様のハードウエア資源を備えているものとする。
【００７１】
図８において、ＳＳＳ対応のホスト及びサーバならばＳＳＳ対応のドライバをインストールしていることを示し、ＳＳＳ対応のプリンタならばＳＳＳ対応のファームウェアを搭載していることを前提に説明する。
【００７２】
図８では、図示されているＨｏｓｔ２００２〜２００４、Ｓｅｒｖｅｒ２００５及びＰｒｉｎｔｅｒ２００６〜２００９はいずれもＳＳＳ対応である。
【００７３】
また、図８では、Ｐｒｉｎｔｅｒ２００６がネットワーク２００１上に新規プリンタとして追加された状態を表している。
【００７４】
図８で、Ｐｒｉｎｔｅｒ２００６〜２００９、Ｓｅｒｖｅｒ２００５及びＨｏｓｔ２００４に実線で接続されている３００９〜３０１４は、その機器に搭載されているストレージ手段として機能するハードディスク装置（以下ＨＤＤと呼ぶ）を表している。
【００７５】
また、各ＨＤＤ３００９〜３０１４は幾つかの小ブロックに分割（パーテーション）されていることを示している。
【００７６】
図９は、本発明に係る印刷処理システムにおける第１のデータ処理手順の一例を示すフローチャートであり、図７に示したサーバ２００５によるミラーリング要求処理手順に対応する。なお、（１００１）〜（１００６）は各ステップを示し、各ステップは図１に示すサーバ３００ＡのＣＰＵ１が外部メモリ１１から読み出す制御プログラムを実行することで実現される。
【００７７】
まず、ネットワーク上に新規追加されたＰｒｉｎｔｅｒ２００６には、サーバのＩＰアドレス等の情報を設定し、ＨＤＤ３０１１を初期化する（１００１）。サーバ情報が設定されたＰｒｉｎｔｅｒ２００６は、自分の管理情報（ＩＰアドレス、ハードスペック＜ＣＰＵの性能や搭載メモリ種類や容量、ＨＤＤの性能や容量等＞）及びＨＤＤ３０１１内で初期使用可能容量の要望をＳｅｒｖｅｒ２００５に対して通知（図８ではＰｒｉｎｔｅｒ２００６からＳｅｒｖｅｒ２００５に向く矢印がそれを表している）する（１００２）。そして、通知を受けたＳｅｒｖｅｒ２００５は新規Ｐｒｉｎｔｅｒ２００６を登録して、この時点よりＰｒｉｎｔｅｒ２００６内のＨＤＤ３０１１の管理を開始する。
【００７８】
従って、Ｐｒｉｎｔｅｒ２００６自身では、すなわち、プリンタ２００６のコントローラ等は、Ｓｅｒｖｅｒ２００５の管理下に入った時点で搭載しているプリンタ２００６のハードディスク３０１１を勝手に使用することはできない。
【００７９】
Ｓｅｒｖｅｒ２００５は、Ｐｒｉｎｔｅｒ２００６のＨＤＤ３０１１の使用可能容量の要求に基づき初期使用可能領域をＰｒｉｎｔｅｒ２００６に対して開放する。
【００８０】
それと同時に、既にＳｅｒｖｅｒ２００５に登録済みの既存プリンタ及びホスト（ＳＳＳ対応としてＨＤＤの一部が開放されたホスト）からＰｒｉｎｔｅｒ２００６の性能（ＨＤＤの容量やアクセススピード等）と登録機器の性能を比較して、Ｐｒｉｎｔｅｒ２００６のデータをミラーリングするパートナ（組）をネットワーク上のプリンタから選択する（１００３）。
【００８１】
ここで、ミラーリングとは、Ｐｒｉｎｔｅｒ２００６に保存されるデータの一部又は全部の複製（コピー）をとることである。
【００８２】
以上の準備が完了したらＳｅｒｖｅｒ２００５のコントローラは、Ｐｒｉｎｔｅｒ２００６に対して初期割り当て領域及びミラーリング・パートナ（組）情報を、ミラーリング・パートナに選択されたＰｒｉｎｔｅｒ２００６に対してはミラーリング依頼元（この場合はＰｒｉｎｔｅｒ２００６）情報及びミラーリング領域情報（サイズ等）をそれぞれ通知（図８に示すＳｅｒｖｅｒ２００５からＰｒｉｎｔｅｒ２００６及びＰｒｉｎｔｅｒ２００７に向かう矢印がそれぞれのプリンタに必要な情報を通知していることを表している）する（１００４）。
【００８３】
Ｐｒｉｎｔｅｒ２００６のＨＤＤ３０１１で、網点模様の領域は、初期使用可能領域として割り当てられた領域であり、実線矢印の範囲がＰｒｉｎｔｅｒ２００６のコントローラ、ファームウェアが自由に使用してよい領域を示す。
【００８４】
また、同じＨＤＤ３０１１で点線矢印（図中の白い領域）はリザーブ領域で、Ｓｅｒｖｅｒ２００４の管理下にある領域を示している。
【００８５】
同様に、Ｐｒｉｎｔｅｒ２００７のハードディスク３０１２の網点領域は、Ｐｒｉｎｔｅｒ２００５に対するミラーリング領域として割り当てられた領域で、Ｐｒｉｎｔｅｒ２００７のファームウェアの管理下にありＰｒｉｎｔｅｒ２００６から依頼されたミラーリング・データはこの領域に保存（複製）される。
【００８６】
図８のＰｒｉｎｔｅｒ２００６からＰｒｉｎｔｅｒ２００７に向けての一点鎖線は、Ｐｒｉｎｔｅｒ２００６のミラーリング・パートナがＰｒｉｎｔｅｒ２００７であることを表している。図８では、同様にＰｒｉｎｔｅｒ２００７はＰｒｉｎｔｅｒ２００８を、Ｐｒｉｎｔｅｒ２００８はＰｒｉｎｔｅｒ２００９を、Ｐｒｉｎｔｅｒ２００９及びＳｅｒｖｅｒ２００５はＨｏｓｔ２００４をミラーリング・パートナに持つことを表している。
【００８７】
ＳＳＳ対応の登録及び設定が完了したＰｒｉｎｔｅｒ２００６に、図８のＨｏｓｔ２００２やＨｏｓｔ２００３のユーザからＢＯＸ登録があった場合には、Ｐｒｉｎｔｅｒ２００６に設定されているミラーリング・パートナ情報をＨｏｓｔ２００２及びＨｏｓｔ２００３のユーザにも通知する（１００５）。
【００８８】
そして、通知を受けた各ホスト（ＳＳＳ対応ドライバ・ソフト）は、ミラーリング・パートナ情報を図示しないハードディスク等に保存しておく。
【００８９】
なお、図９に示す処理は、後述するセキュリティパートナ情報の保存処理等にも同等に利用可能な処理である。
【００９０】
図１０は、図７の（ａ）に示した第１のネットワーク構成に対するストレージ管理サーバシステム（本システムをＳＳＳと呼ぶ）例を示す図である。
【００９１】
図１０において、Ｐｒｉｎｔｅｒ２００６からＨｏｓｔ２００２及びＨｏｓｔ２００３に向かう矢印は、Ｐｒｉｎｔｅｒ２００６にＢＯＸ登録したユーザに対してミラーリング・パートナ情報を通知していることを表している。
【００９２】
図１１は、本発明に係る印刷システムにおけるストレージ資源のミラー化状態を説明する図であり、ユーザのホスト上に備える表示装置の画面及びプリンタのパネル画面からＢＯＸのフォルダを観た場合の例である。
【００９３】
例えば松本氏が、図１０に示したＰｒｉｎｔｅｒ２００６にＢＯＸ登録した際にミラーリングＢＯＸを作成した場合には、図１１に示すように２つのＢＯＸが作成される。
【００９４】
“松本ＢＯＸ”５００１は通常のＢＯＸでありここに保存されたファイル（データ）はミラーリングされない。“松本ＢＯＸ”５００２（顔マーク付き）に保存されたファイル（データ）は前記ミラーリング・パートナに対してミラーリングが行われる。
【００９５】
このようにユーザは保存したいファイルの重要度に応じて保存するＢＯＸを使い分ければよい。重要なファイルで絶対に消失してほしくないファイルはミラーリングＢＯＸに保存するとデータの保全性が確保される。
【００９６】
図１２は、図７の（ａ）に示した第１のネットワーク構成に対するストレージ管理サーバシステム（本システムをＳＳＳと呼ぶ）例を示す図である。
【００９７】
図１２において、Ｈｏｓｔ２００３からＰｒｉｎｔｅｒ２００６に向かう矢印は、Ｈｏｓｔ２００３のユーザがミラーリングＢＯＸにファイルを保存したことを表している。
【００９８】
Ｐｒｉｎｔｅｒ２００６からＰｒｉｎｔｅｒ２００７に向かう矢印は、ミラーリングＢＯＸに保存されたデータのミラーリング依頼を行っていることを表している。そして、依頼を受けたＰｒｉｎｔｅｒ２００７は、ミラーリング領域として割り当てられたＨＤＤ６０１２の網点領域に依頼データを保存して（１００６）、本処理を終了する
ここで、プリンタがＭＦＰである場合には保存されている元データを予め印刷用データ、ＦＡＸ用データ、サムネイル用データ等の複数のデータ形式に変換して保存しておく場合もある。
【００９９】
このように元データに関係するＰｒｉｎｔｅｒ２００６で生成されたデータも含めてＰｒｉｎｔｅｒ２００７に保存しておくことも可能である。また、図１２では説明していないがミラーリング・パートナ情報を保有しているホスト（図１２のＨｏｓｔ２００３など）はミラーリング・パートナに対して直接ミラーリング依頼を行うことも可能である。
【０１００】
後述するようにＢＯＸ登録しているプリンタにトラブルが発生した場合にホストがミラーリング・パートナを直接読み書きできることが必要となる。この場合ＢＯＸを新規に登録されたプリンタは、ミラーリング・パートナに対して必ずそのホスト情報を通知するようにするとよい。
【０１０１】
これによってパートナも直接ホストからのミラーリング依頼に対応することができる。
【０１０２】
さらに図を用いてストレージ管理サーバシステムの動作について説明する。
【０１０３】
図１３，図１４は、図７の（ａ）に示した第１のネットワーク構成に対するストレージ管理サーバシステム（本システムをＳＳＳと呼ぶ）例を示す図である。
【０１０４】
図１３は、図１２に示すシステム状態からＰｒｉｎｔｅｒ２００６のファームに割り当てられた使用可能領域が不足した場合の動きを示しており、図１３のＰｒｉｎｔｅｒ２００７からＳｅｒｖｅｒ２００５に向かう矢印は、使用可能領域の増設要求をＳｅｒｖｅｒ２００５に通知している状態を表している。増設要求を受けたＳｅｒｖｅｒ２００５は登録されているＰｒｉｎｔｅｒ２００７のＨＤＤ状況を確認して、増設可能と判断すれば増設割り当ての通知をＰｒｉｎｔｅｒ２００７に対して行う。その状況を示したのがＳｅｒｖｅｒ２００５からＰｒｉｎｔｅｒ２００７に向かう矢印である。
【０１０５】
図１３でＰｒｉｎｔｅｒ２００７のＨＤＤ７０１２のファーム使用可能領域（波線のブロック）が増設されている。
【０１０６】
また、図１４では、ミラーリング領域が不足した場合の動作を示している。ここではＰｒｉｎｔｅｒ２００８に対するＰｒｉｎｔｅｒ２００９のミラーリング領域が不足したため、Ｐｒｉｎｔｅｒ２００８がＳｅｒｖｅｒ２００５に対してミラーリング増設要求を通知している状態を表している。その状況を示したのがＰｒｉｎｔｅｒ２００８からＳｅｒｖｅｒ２００５に向かう矢印である。
【０１０７】
増設要求を受けたＳｅｒｖｅｒ２００５は、Ｐｒｉｎｔｅｒ２００９のＨＤＤ８０１４の使用状況を確認して、この場合はＰｒｉｎｔｅｒ２００９に対してさらにミラーリング領域を増設することは不可と判断して、新規追加されたＰｒｉｎｔｅｒ２００６のＨＤＤ８０１１に十分な空きがあることを確認して、増設分のミラーリング領域をＰｒｉｎｔｅｒ２００６に割り当てることを判断したことを表している。
【０１０８】
図１４のＳｅｒｖｅｒ２００５からＰｒｉｎｔｅｒ２００６への矢印は、Ｐｒｉｎｔｅｒ２００６に対してミラーリングする相手情報とミラーリング領域情報を通知している。
【０１０９】
Ｓｅｒｖｅｒ２００５からＰｒｉｎｔｅｒ２００８への矢印は、新たに追加されたミラーリング・パートナ情報とミラーリング増設割り当て情報を通知している。
【０１１０】
Ｐｒｉｎｔｅｒ２００６のＨＤＤ８０１１にＰｒｉｎｔｅｒ２００８のミラーリング領域（レンガ模様のブロック）が割り当てられている。
【０１１１】
従って、図１４のＰｒｉｎｔｅｒ２００８の一点鎖線で結ぶミラーリング・パートナは、Ｐｒｉｎｔｅｒ２００９に加えて、さらにＰｒｉｎｔｅｒ８００６とも結ばれているのがわかる。
【０１１２】
この図１４に示すようにミラーリング・パートナは１つとは限らず複数のパートナを持つ場合もあり得ることを示している。
【０１１３】
図１５は、図７の（ａ）に示した第１のネットワーク構成に対するストレージ管理サーバシステム（本システムをＳＳＳと呼ぶ）例を示す図であり、以下、図１５に示すＳＳＳにおけるセキュリティパートナについて説明を行う。
【０１１４】
図１５のＰｒｉｎｔｅｒ２００６は、ネットワーク２００１に接続されているプリンタの中で特にセキュリティを重視したプリンタであるものとする。また、前述したようにＰｒｉｎｔｅｒ２００６は、一点鎖線で結ばれるＰｒｉｎｔｅｒ２００８及びＨｏｓｔ２００４とミラーリング・パートナを組んでいる。同様の原理でＰｒｉｎｔｅｒ２００７とは実線（終端マル印）で結ばれてセキュリティパートナを組んでいることを示している。
【０１１５】
ここで、セキュリティパートナとは、Ｐｒｉｎｔｅｒ２００６に登録されたＢＯＸに、特にセキュリティ上重要なファイルを保存する場合にそのファイルの全ての情報をＰｒｉｎｔｅｒ２００６のＨＤＤ９０１１のみに保存せず、重要ファイルの部分情報をセキュリティパートナであるＰｒｉｎｔｅｒ２００７にも分割して保存する組のことである。
【０１１６】
図１５に示すＳｅｒｖｅｒ２００５とＰｒｉｎｔｅｒ２００６間の矢印で示されるようにセキュアドプリンタとしての自分の管理情報をＳｅｒｖｅｒ２００５に通知して登録してもらい、Ｓｅｒｖｅｒ２００５は初期割り当て領域及びミラーリング・パートナ情報に加えて、さらにセキュリティパートナを既存の登録プリンタより選択してその情報をＰｒｉｎｔｅｒ２００６に対して通知する。
【０１１７】
以後Ｐｒｉｎｔｅｒ２００６に登録されたＢＯＸにセキュアドファイル（機密ファイル）として保存されたファイルについては、その一部の情報をＰｒｉｎｔｅｒ２００７にも保存する。
【０１１８】
図１６は、本発明に係る印刷システムにおけるストレージ資源のセキュリティパートナ化状態を説明する図であり、ユーザのホスト上に備える表示装置の画面及びプリンタのパネル画面からＢＯＸのフォルダを観た場合の例である。
【０１１９】
ここで、図１１で説明した時と同様に、図１６はユーザのホスト画面及びプリンタのパネル画面で表示されるユーザＢＯＸ（この場合松本氏のＢＯＸ）の表示例である。
【０１２０】
“松本ＢＯＸ”１６００１は通常のＢＯＸであり、ここに保存されたファイル（データ）はミラーリングされない。“松本ＢＯＸ”１６００２（顔マーク付き）に保存されたファイル（データ）は前記ミラーリング・パートナに対してミラーリングが行われる。
【０１２１】
図１１と比較して、セキュリティを確保したい場合にはさらにセキュリティパートナを持っていることを示すセキュリティＢＯＸ１６００３を登録することができる（マルに斜め斜線マーク）。ユーザは保存したいファイルが機密文書である場合にはセキュリティＢＯＸに保存すればよい。
【０１２２】
なお、セキュリティパートナ情報の保存処理等は、図９に示す制御手順と同等であって、ミラー情報を扱う処理時に、セキュリティパートナ情報を含めて処理することで対応可能である。
【０１２３】
図１７は、本発明に係る印刷システムにおけるストレージ資源のセキュリティパートナによる機密ファイル分割保存処理状態を説明する図である。
【０１２４】
セキュリティＢＯＸにホスト又はプリンタのパネルから機密ファイル１７０５を保存した場合に、一時ＲＡＭ上にデータを保存して、図１７に示すように機密ファイルを例えば等間隔に複数のブロックに分割する。
【０１２５】
その奇数（ＯＤＤ）番号のブロックをＰｒｉｎｔｅｒ２００６のＨＤＤ１７０３に保存し、残りの偶数（ＥＶＥＮ）番号のブロックをセキュリティパートナであるＰｒｉｎｔｅｒ２００７に対してＰｒｉｎｔｅｒ２００６より保存依頼を通知してＨＤＤ１７０４のＰｒｉｎｔｅｒ２００６に対するセキュリティ領域に保存する。
【０１２６】
ここで、本例では等間隔のブロックに分割する例を説明したが、その他の例として任意の乱数発生方法に基づいて一定の範囲に規定された乱数を発生させてそれを分割ブロックのライン数として可変間隔で分割してもよい。
【０１２７】
また、本実施形態では特に分割方法に特定の方法を規定するものではない。また、機密ファイルの一時保存がＲＡＭ上に保存困難な場合には、一旦全情報をＨＤＤ１７０３上に蓄えてから分割処理を行ってもよいが、処理後セキュリティパートナに保存したＨＤＤ１７０３上のデータは完全初期化しなければならない。
【０１２８】
ここで、完全初期化とは、ＨＤＤ上の特定の領域を初期化する場合に幾つかのパターンを数回上書きして前保存データを完全に消去することを意味している。この分割保存処理により例えば機密ファイルを保存したＰｒｉｎｔｅｒ２００６のＨＤＤごと盗まれたとしてもそのＨＤＤ内には機密ファイルの部分情報しか保存されておらず解読は困難であり安全性が向上する。
【０１２９】
さらに機密ファイルをセキュリティパートナに分割保存することにより、機密ファイルの全データをひとつのＨＤＤに保存しないのでセキュリティのしくみも図１７に示すように単純なものあっでも安全性を確保できる。
【０１３０】
なお、本実施形態ではセキュリティパートナは１つの例であるが複数のパートナを持ってもかまわない。
【０１３１】
図１８は、図７の（ａ）に示した第１のネットワーク構成に対するストレージ管理サーバシステム（本システムをＳＳＳと呼ぶ）例を示す図であり、機密ファイルがミラーリング・パートナ及びセキュリティパートナに保存されている状況をＰｒｉｎｔｅｒ２００６に注目して全体的に示した例であり、以下、図１８に示すＳＳＳにおけるセキュリティパートナについて説明を行う。
【０１３２】
Ｐｒｉｎｔｅｒ２００６に登録された機密ファイルは任意の規則に基づいて分割処理され、奇数ブロックを自分自身のＨＤＤ１８０８に保存し、偶数ブロックをセキュリティパートナであるＰｒｉｎｔｅｒ２００７のＨＤＤ１８０９に保存している。
【０１３３】
さらにＰｒｉｎｔｅｒ２００６のミラーリング・パートナであるＰｒｉｎｔｅｒ２００７のＨＤＤ１８０９にＯＤＤデータを、Ｈｏｓｔ２００４のＨＤＤ１８１２にＥＶＥＮデータをミラーリングしている。
【０１３４】
従って、機密ファイルが分割保存されている利点として、例えばセキュリティパートナのＨＤＤに障害が発生した場合でもミラーリング・パートナにもその複製が保存されているので、セキュリティ及びデータ保全性の両面から安全性が確保されていることになる。
【０１３５】
図１９は、本発明に係る印刷システムにおける第２のデータ処理手順の一例を示すフローチャートであり、セキュリティＢＯＸに保存されている機密ファイルを２回目以降印刷する処理手順に対応する。なお、（１９０１）〜（１９１２）は各ステップを示し、各ステップは図１に示すプリンタ３０１のＣＰＵ１２が外部メモリ１４から読み出す制御プログラムを実行することで実現される。
【０１３６】
なお、ここで、１回目の印刷はセキュリティＢＯＸにデータを保存するのと同時であるので指定プリンタのみを用いて通常の印字シーケンスで印刷されるが２回目以降は各パートナからデータを読み取ってから印刷しなければならない。
【０１３７】
また、Ｈｏｓｔ２００３のユーザがＰｒｉｎｔｅｒ２００６のセキュリティＢＯＸに登録されている機密ファイルを印刷する場合を想定して、図１９フローチャートを用いて説明する。
【０１３８】
ユーザは、印字サイズや印刷枚数等の基本事項を設定し、さらにＰｒｉｎｔｅｒ２００６のセキュリティパートナであるＰｒｉｎｔｅｒ２００７が使用中（もしくはハンドシェイク・エラー時）であった場合に、ミラーリング・パートナ、この場合、Ｈｏｓｔ２００４が使用中でなければそのデータを利用するかどうかも予め設定して置く（１９０１）。なお、通常はデフォルトでよい。
【０１３９】
そして、印刷依頼を受けたＰｒｉｎｔｅｒ２００６は、その機密ファイルのＥＶＥＮデータを保存しているセキュリティパートナであるＰｒｉｎｔｅｒ２００７に対してＥＶＥＮデータの読み出し（転送）要求を出す（１９０２）。
【０１４０】
そして、Ｐｒｉｎｔｅｒ２００７がその要求に対して可能返答であるか否か、あるいは返答がＢＵＳＹであるか否かをＣＰＵ１２が判断して（１９０３）、ＢＵＳＹでないと判断した場合は、ステップ（１９０４）へ進み、Ｐｒｉｎｔｅｒ２００７は、所定のセキュリティ領域からＥＶＥＮデータを読み出してＰｒｉｎｔｅｒ２００６に転送する。そして、ＥＶＥＮデータを受け取ったＰｒｉｎｔｅｒ２００６はＯＤＤデータと結合処理を行い、印刷データを生成して、ステップ（１９１２）へ進む。
【０１４１】
一方、ステップ（１９０３）で、Ｐｒｉｎｔｅｒ２００７が何らかの要因でＢｕｓｙであったと判断した場合、設定値に応じて待機するかミラーリング・パートナ（本例では、Ｐｒｉｎｔｅｒ２００７、Ｈｏｓｔ２００４）に問い合わせるか否かを判断し（１９０５）、ミラーリング・パートナを利用する設定になっていたとＣＰＵ１２が判断した場合には、Ｐｒｉｎｔｅｒ２００６は、さらにＨｏｓｔ２００４に対してＥＶＥＮデータの読み出し（転送）要求を出す（１９０９）。
【０１４２】
そして、この要求に対して、Ｈｏｓｔ２００４が可能返答であるか否か、あるいは返答がＢＵＳＹであるか否かをＣＰＵ１２が判断して（１９１０）、ＢＵＳＹでないと判断した場合は、その後、Ｈｏｓｔ２００４は所定のミラーリング領域からＥＶＥＮデータを読み出してＰｒｉｎｔｅｒ２００６に転送する。そして、ＥＶＥＮデータを受け取ったＰｒｉｎｔｅｒ２００６は、ＯＤＤデータと結合処理を行い、印刷データを生成する（１９１１）。そして、印刷準備が整ったら印刷処理を開始して（１９１２）、本処理を終了する。
【０１４３】
一方、ステップ（１９０５）で、Ｐｒｉｎｔｅｒ２００７がＢｕｓｙのとき待機する設定となっていると判断した場合、又はステップ（１９１０）で、Ｈｏｓｔ２００４もやはりＢｕｓｙであったと判断した場合には、セキュリティパートナＰｒｉｎｔｅｒ２００７の可能返答を所定の時間待つフェーズに入る（１９０６）。
【０１４４】
そして、所定の時間内にＰｒｉｎｔｅｒ２００７からの可能返答が来るかどうかを判断して、すなわち、タイムアウトしたか否かをＣＰＵ１２が判断して、所定時間内にＰｒｉｎｔｅｒ２００７からの可能返答が来たと判断した場合（ステップ（１９０７）の判定がＮＯの場合）は、ステップ（１９１２）へ進み、上述と同様に印刷データを準備して印刷を開始する。
【０１４５】
一方、ステップ（１９０７）で、所定時間を過ぎてもＰｒｉｎｔｅｒ２００７からの可能返答がないと判断した場合（ステップ（１９０７）の判定がＹＥＳの場合）は、キャンセル処理を行い、その事を依頼元であるＨｏｓｔ２００３のユーザに通知して、キャンセル処理を行い（１９０８）、本処理を終了する。
【０１４６】
これにより、セキュリティパートナを持つことで印刷のパフォーマンスは通常の印刷より落ちるがミラーリング・パートナを利用することで改善することが可能である。
【０１４７】
〔第２実施形態〕
以下、図２０に示すメモリマップを参照して本発明に係る印刷システムで読み取り可能なデータ処理プログラムの構成について説明する。
【０１４８】
図２０は、本発明に係る印刷システムで読み取り可能な各種データ処理プログラムを格納する記憶媒体のメモリマップを説明する図である。
【０１４９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５１】
本実施形態における図９，図１９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５３】
この場合、記憶媒体から読み出されたプログラムコード自体が本発明の新規な機能を実現することになり、そのプログラムコードを記憶した記憶媒体は本発明を構成することになる。
【０１５４】
従って、プログラムの機能を有していれば、オブジェクトコード、インタプリタにより実行されるプログラム、ＯＳに供給するスクリプトデータ等、プログラムの形態を問わない。
【０１５５】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５６】
この場合、記憶媒体から読出されたプログラムコード自体が前述した実施形態の機能を実現することになり、そのプログラムコードを記憶した記憶媒体は本発明を構成することになる。
【０１５７】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６１】
本発明は上記実施形態に限定されるものではなく、本発明の趣旨に基づき種々の変形（各実施形態の有機的な組合せを含む）が可能であり、それらを本発明の範囲から排除するものではない。
【０１６２】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜９について説明する。
【０１６３】
〔実施態様１〕
ネットワークを介してデータ格納手段を備える印刷装置、ホスト装置と通信可能なサーバ装置であって、前記印刷装置が備える各データ格納手段で確保可能な未使用領域を認識して、各データ格納手段に登録される情報を複製するミラー領域またはセキュリティ領域を設定する設定手段（図１に示すＣＰＵ１が実行する図９に示すステップＳ１００３）と、前記設定手段により設定されたミラー領域またはセキュリティ領域を確保すべき前記印刷装置にミラー領域情報を通知する通知手段（図１に示すＣＰＵ１が実行する図９に示すステップＳ１００４）とを有することを特徴とするサーバ装置。
【０１６４】
これにより、ネットワーク上の印刷装置が備えるデータ格納手段の未使用領域を一元管理して、各データ格納手段上に確保される未使用領域を他の印刷装置のデータ格納手段で確保される他の未使用領域とでミラー化処理またはセキュリティ化処理を可能として、それぞれの印刷装置のデータ格納手段の未使用領域を有効活用し、かつ、サーバ装置に障害が発生しても、複数の印刷装置のデータ格納手段により構成されるミラー環境を再構築して、印刷装置のデータ格納手段に登録したデータを確実に復旧できるとともに、セキュリティ文書を秘匿性よく分散管理できる。
【０１６５】
〔実施態様２〕
前記データ格納手段は、文書ファイルをミラー化して格納するためのミラー領域関係を示すパートナ情報またはセキュリティ文書ファイルを分割して格納するためのセキュリティ領域関係を示すセキュリティ情報を記憶可能とすることを特徴とする実施態様１記載のサーバ装置。
【０１６６】
これにより、複数の印刷装置を含む印刷システムにおいて、各印刷装置が備えるストレージ資源を利用してミラー処理とセキュリティ処理とを行うべき関係を一元管理して、対応すべく印刷装置にその旨を通知することができる。
【０１６７】
〔実施態様３〕
前記設定手段は、各データ格納手段に対して１対１のミラー領域関係、１対ｎのミラー領域関係、１対１のセキュリティ領域関係、１対ｎのセキュリティ領域関係を設定可能とすることを特徴とする請求項１記載のサーバ装置。
【０１６８】
これにより、複数の印刷装置を含む印刷システムにおいて、各印刷装置が備えるストレージ資源を利用してミラー処理とセキュリティ処理とを行うべき１対１あるいは１対ｎの相互関係を一元管理して、対応すべくそれぞれの印刷装置にその旨を通知することができる。
【０１６９】
〔実施態様４〕
ネットワークを介してデータ格納手段を備えるホスト装置、サーバ装置、他の印刷装置と通信可能な印刷装置であって、前記サーバ装置から通知されるセキュリティ領域情報に基づいて、データ格納手段に確保される前記セキュリティ領域を確保するセキュリティ領域設定手段（図１５に示すセキュリティ領域をプリンタのＣＰＵ１２が外部メモリ１４に対して領域設定する）と、セキュリティ文書情報を前記ホスト装置から取得する取得手段（図１に示すＣＰＵ１２がホストからホストコンピュータ３００等より入力部１８を介して取得する）と、前記取得手段により取得する前記セキュリティ文書情報を分割する分割手段（図１に示すＣＰＵ１２が図示しない制御手順に従い、分割処理する）と、前記分割手段により分割される分割文書情報の一方を保存するセキュリティ文書保存手段（例えば図１に示すＲＡＭ１９であって、ＣＰＵ１２が分割した分割文書情報を保存する）と、前記分割手段により分割される他方の分割文書情報を前記サーバ装置により設定されるセキュリティ領域関係に基づいて、セキュリティパートナとして設定されるいずれかの他の印刷装置に転送する転送手段（例えば図１に示す入力部１８を介してセキュリティパートナとして設定されるいずれかの他の印刷装置に転送処理する）と、前記ホスト装置からのセキュリティ文書印刷要求に基づき、前記サーバ装置により設定されるセキュリティ領域関係に基づいて、セキュリティパートナとして設定されるいずれかの他の印刷装置から分割された分割文書情報を取得する取得手段（図１に示すＣＰＵ１２による図１９に示すステップ（１９０２））と、前記取得手段により取得される他方の分割文書情報と前記セキュリティ文書保存手段に保存されている一方の分割文書情報とを結合してセキュリティ文書を再構築するデータ生成手段（図１に示すＣＰＵ１２が実行する図１９に示すステップ（１９１１））と、前記データ生成手段により再構築されるセキュリティ文書を印刷する印刷手段（図１に示すＣＰＵ１２が実行する図１９に示すステップ（１９１２））とを有することを特徴とする印刷装置。
【０１７０】
これにより、プリンタに搭載されるストレージ装置の記憶領域管理を最適化してリソースを効率的に活用しつつ、さらに機密ファイルを分散保存することによってセキュリティを向上する印刷制御を実現できる。
【０１７１】
〔実施態様５〕
前記サーバ装置から通知されるミラー領域情報に基づいて、データ格納手段に確保される前記ミラー領域を確保するミラー領域設定手段と、セキュリティ文書を印刷する場合に、前記セキュリティパートナとして設定されるいずれかの他の印刷装置からの応答状態を判断する判断手段（図１に示すＣＰＵ１２が実行する図１９に示すステップ（１９０３））を有し、前記取得手段は、前記判断手段により応答があると判断した場合は、セキュリティパートナとして設定されるいずれかの他の印刷装置から分割文書情報を取得し（図１に示すＣＰＵ１２が実行する図１９に示すステップ（１９０４））、前記判断手段により応答がないと判断した場合は、前記ミラー領域設定手段によりミラーパートナとして設定されるいずれかの他の印刷装置から分割文書情報に対応する文書情報を取得する（図１に示すＣＰＵ１２が実行する図１９に示すステップ（１９１１））ことを特徴とする実施態様４記載の印刷装置。
【０１７２】
これにより、セキュリティ文書を印刷する場合に、サーバ装置から設定に基づくセキュリティパートナとなる印刷装置相互間で分割される分割セキュリティ文書を優先して読み出し、セキュリティパートナとなる印刷装置に不具合があっても、最終的に、ミラーパートナとなる印刷装置から同等の分割セキュリティ文書を取得することで、セキュリティ面を考慮しつつも、セキュリティ文書に対する印刷要求が停滞してしまう事態を防止することができる。
【０１７３】
〔実施態様６〕
ネットワークを介してデータ格納手段を備えるホスト装置、サーバ装置、他の印刷装置と通信可能な印刷装置における印刷制御方法であって、前記サーバ装置から通知されるセキュリティ領域情報に基づいて、データ格納手段に確保される前記セキュリティ領域を確保するセキュリティ領域設定ステップ（図示しない）と、セキュリティ文書情報を前記ホスト装置から取得する取得ステップ（図示しない）と、前記取得ステップにより取得する前記セキュリティ文書情報を分割する分割ステップ（図示しない）と、前記分割ステップにより分割される分割文書情報を一方をセキュリティ文書保存手段に保存するセキュリティ文書保存ステップ（図示しない）と、前記分割ステップにより分割される他方の分割文書情報を前記サーバ装置により設定されるセキュリティ領域関係に基づいて、セキュリティパートナとして設定されるいずれかの他の印刷装置に転送する転送ステップ（図示しない）と、前記ホスト装置からのセキュリティ文書印刷要求に基づき、前記サーバ装置により設定されるセキュリティ領域関係に基づいて、セキュリティパートナとして設定されるいずれかの他の印刷装置から分割された分割文書情報を取得する取得ステップ（図１に示すＣＰＵ１２が実行する図１９に示すステップ（１９０４））と、前記取得ステップにより取得される他方の分割文書情報と前記セキュリティ文書保存手段に保存されている一方の分割文書情報とを結合してセキュリティ文書を再構築するデータ生成ステップ（図１に示すＣＰＵ１２が実行する図１９に示すステップ（１９１２））と、前記データ生成ステップにより再構築されるセキュリティ文書を印刷する印刷ステップ（図１に示すＣＰＵ１２が実行する図１９に示すステップ（１９１２））とを有することを特徴とする印刷制御方法。
【０１７４】
これにより、実施態様３と同等の効果が期待できる。
【０１７５】
〔実施態様７〕
前記サーバ装置から通知されるミラー領域情報に基づいて、データ格納手段に確保される前記ミラー領域を確保するミラー領域設定ステップ（図示しない）と、セキュリティ文書を印刷する場合に、前記セキュリティパートナとして設定されるいずれかの他の印刷装置からの応答状態を判断する判断ステップ（図１に示すＣＰＵ１２が実行する図１９に示すステップ（１９０３））を有し、前記取得ステップは、前記判断ステップにより応答があると判断した場合は、セキュリティパートナとして設定されるいずれかの他の印刷装置から分割文書情報を取得し、前記判断手段により応答がないと判断した場合は、前記ミラー領域設定ステップによりミラーパートナとして設定されるいずれかの他の印刷装置から分割文書情報に対応する文書情報を取得することを特徴とする実施態様６記載の印刷制御方法。
【０１７６】
これにより、実施態様４と同等の効果が期待できる。
【０１７７】
〔実施態様８〕
実施態様６または７記載の印刷制御方法を実行させるためのプログラムを格納したことを特徴とするコンピュータが読み取り可能な記憶媒体。
【０１７８】
これにより、実施態様３または４と同等の効果が期待できる。
【０１７９】
〔実施態様９〕
実施態様６または７記載の印刷制御方法を実行させることを特徴とするプログラム。
【０１８０】
これにより、実施態様３または４と同等の効果が期待できる。
【図面の簡単な説明】
【０１８１】
【図１】本発明の第１実施形態を示すサーバ装置、印刷装置を適用可能な印刷システムの構成を示すブロック図である。
【図２】図１に示したプリンタの構成を示す断面図である。
【図３】図１に示した操作部のキー配列を示す平面図である。
【図４】図３に示した操作パネルのコピー標準画面を示す模式図である。
【図５】図１に示した画像メモリの論理的な使用方法を示す模式図である。
【図６】本発明の第１実施形態を示すサーバ装置、ホスト装置、画像処理装置を適用可能な印刷システムの構成を説明するブロック図である。
【図７】図６に示した印刷システムの構成例を示すブロック図である。
【図８】図７の（ａ）に示した第１のネットワーク構成に対するストレージ管理サーバシステム例を示す図である。
【図９】本発明に係る印刷処理システムにおける第１のデータ処理手順の一例を示すフローチャートである。
【図１０】図７の（ａ）に示した第１のネットワーク構成に対するストレージ管理サーバシステム例を示す図である。
【図１１】本発明に係る印刷システムにおけるストレージ資源のミラー化状態を説明する図である。
【図１２】図７の（ａ）に示した第１のネットワーク構成に対するストレージ管理サーバシステム例を示す図である。
【図１３】図７の（ａ）に示した第１のネットワーク構成に対するストレージ管理サーバシステム例を示す図である。
【図１４】図７の（ａ）に示した第１のネットワーク構成に対するストレージ管理サーバシステム例を示す図である。
【図１５】図７の（ａ）に示した第１のネットワーク構成に対するストレージ管理サーバシステム例を示す図である。
【図１６】本発明に係る印刷システムにおけるストレージ資源のセキュリティパートナ化状態を説明する図である。
【図１７】本発明に係る印刷システムにおけるストレージ資源のセキュリティパートナによる機密ファイル分割保存処理状態を説明する図である。
【図１８】図７の（ａ）に示した第１のネットワーク構成に対するストレージ管理サーバシステム（本システムをＳＳＳと呼ぶ）例を示す図である。
【図１９】本発明に係る印刷システムにおける第２のデータ処理手順の一例を示すフローチャートである。
【図２０】本発明に係る印刷システムで読み取り可能な各種データ処理プログラムを格納する記憶媒体のメモリマップを説明する図である。
【符号の説明】
【０１８２】
２００２〜２００４  ホスト
２００５  サーバ
２００６〜２００８  プリンタ
３０１０〜３０１４  ハードディスク
【図１】
2006139455.tif 000003
【図２】
2006139455.tif 000004
【図３】
2006139455.tif 000005
【図４】
2006139455.tif 000006
【図５】
2006139455.tif 000007
【図６】
2006139455.tif 000008
【図７】
2006139455.tif 000009
【図８】
2006139455.tif 000010
【図９】
2006139455.tif 000011
【図１０】
2006139455.tif 000012
【図１１】
2006139455.tif 000013
【図１２】
2006139455.tif 000014
【図１３】
2006139455.tif 000015
【図１４】
2006139455.tif 000016
【図１５】
2006139455.tif 000017
【図１６】
2006139455.tif 000018
【図１７】
2006139455.tif 000019
【図１８】
2006139455.tif 000020
【図１９】
2006139455.tif 000021
【図２０】
2006139455.tif 000022